(57)【要約】【課題】沿面距離を確保することができる配線基板を提供すること。【解決手段】配線基板１は、幅方向を短手方向とする形状の絶縁性の基材２と、この基材２上に設けられた配線パターン３と、を備えている。配線パターン３は、基材２の幅方向に延伸して設けられ、その基材２の幅方向の端部に露出してなる露出部３ａを有している。露出部３ａが設けられた部分において、基材２及び配線パターン３が配線基板１の表面２ｃ側の内側方向に折畳まれた折畳部２ｄを有している。【選択図】図１
2014220472.tif 000002
【特許請求の範囲】
【請求項１】
幅方向を短手方向とする形状の絶縁性の基材と、当該基材上に設けられた配線パターンと、を備えた配線基板であって、
前記配線パターンは、前記基材の前記幅方向に延伸して設けられ、前記基材の幅方向の端部に露出してなる露出部を有し、
前記露出部が設けられた部分において、前記基材及び前記配線パターンが前記配線基板の表面側の内側方向に折畳まれた折畳部を有することを特徴とする配線基板。
【請求項２】
前記折畳部は、接着剤によって接着されていることを特徴とする請求項１に記載の配線基板。
【請求項３】
前記折畳部を被覆する反射部材が設けられていることを特徴とする請求項１または請求項２に記載の配線基板。
【請求項４】
前記配線パターンは、前記露出部を有する延伸部と、前記延伸部と連続し、発光素子が搭載される実装部とを有し、
前記延伸部は、前記基材の長手方向に沿って複数配置されていることを特徴とする請求項１から請求項３のいずれか１項に記載の配線基板。
【請求項５】
前記延伸部は、折畳まれる折曲線上に幅狭部を形成し、前記幅狭部において、前記基材と共に折畳まれていることを特徴とする請求項４に記載の配線基板。
【請求項６】
請求項１ないし請求項５のいずれか１項に記載の前記配線基板と、
前記配線基板上に配置された発光素子と、を備えていることを特徴とする発光装置。
【発明の詳細な説明】
【技術分野】
【０００１】
本発明は、例えば、フレキシブルな絶縁性の基材と、この基材上に設けられた配線パターンと、を備えた配線基板及びこれを用いた発光装置に関する。
【背景技術】
【０００２】
従来から発光装置に用いられているフレキシブル配線基板上の配線パターンにメッキ処理を施すために、フレキシブル配線基板は電気メッキ用電極を接続するための接続パッド部を有し、配線パターンと接続している。さらに、フレキキシブル配線基板は通常一つの配線パターンが連続して形成されており、所定の位置で切断され使用されるため、切断部には配線導体が剥き出しの状態となっている。（例えば、特許文献１参照）。
【先行技術文献】
【特許文献】
【０００３】
【特許文献１】特開平６−６００３号公報
【発明の概要】
【発明が解決しようとする課題】
【０００４】
前記特許文献１に記載されているような従来のフレキシブル配線基板は、配線パターンの縁部が絶縁基材の端部と同一平面に露出しているので、絶縁基材の裏面側から配線パターンまでの距離（沿面距離と呼ばれている）が非常に短くなっている。このため、従来のフレキシブル配線基板は、例えば、発光素子を配線パターンに実装して筐体内に収納した場合に、配線パターンに印加した駆動電力が配線パターンの縁部を通って金属筐体へと流れ、使用者が感電するおそれがあるなどの問題や、外部からの静電気等のノイズが金属筐体を介し配線パターンの縁部を通って侵入して、発光素子の輝度にムラが発生し、安定した状態に発光駆動させることが困難である等の問題があった。
【０００５】
そこで、本発明は、沿面距離を確保することで絶縁が確保できる配線基板及びこれを用いた発光装置を提供することを目的とする。
【課題を解決するための手段】
【０００６】
前記課題を解決するため、本発明に係る配線基板は、幅方向を短手方向とする形状の絶縁性の基材と、当該基材上に設けられた配線パターンと、を備えた配線基板であって、前記配線パターンは、前記基材の前記幅方向に延伸して設けられ、前記基材の幅方向の端部に露出してなる露出部を有し、前記露出部が設けられた部分において、前記基材及び前記配線パターンが前記配線基板の表面側の内側方向に折畳まれた折畳部を有することを特徴とする。
【０００７】
また、本発明に係る発光装置は、前記配線基板と、前記配線基板上に配置された発光素子と、を備えていることを特徴とする。
【発明の効果】
【０００８】
本発明に係る配線基板は、沿面距離を確保して駆動電力の漏れ及びノイズの侵入を防止することができる。また、本発明に係る配線基板を用いた発光装置は、発光素子の輝度にムラがなく安定した状態で発光させることができる。
【図面の簡単な説明】
【０００９】
【図１】本発明の実施形態に係る配線基板を示す概略要部拡大斜視図である。
【図２】レジストを設けた状態の配線基板及びこれを用いた発光装置を示す図であり、（ａ）は概略平面図、（ｂ）は矢視線Ｙ２−Ｙ２方向拡大断面図である。
【図３】配線基板を示す図であり、（ａ）は概略平面図、（ｂ）はＸ２部の拡大斜視図である。
【図４】図３の矢視線Ｘ１−Ｘ１方向拡大断面図である。
【図５】図２の矢視線Ｙ１−Ｙ１方向拡大断面図である。
【図６】図５の要部拡大図である。
【図７】（ａ）は折畳部が形成される前の配線基板を示す要部拡大斜視図、（ｂ）は折畳部が形成された後の配線基板の状態を示す要部拡大斜視図である。
【図８】本発明の実施形態に係る配線基板の変形例を示す図であり、折畳部が形成される前の状態を示す拡大断面図である。
【図９】本発明の実施形態に係る配線基板及びこれを用いた発光装置の変形例を示す概略平面図である。
【図１０】本発明の実施形態に係る配線基板及びこれを用いた発光装置の変形例を示す図であり、配線基板の取り付け状態を示す拡大断面図である。
【発明を実施するための形態】
【００１０】
以下、図１〜図７を参照して本発明の実施形態に係る配線基板及びこれを用いた発光装置を説明する。
ただし、以下に示す実施形態は、本発明の技術思想を具体化するための配線基板１及び発光装置Ｓを例示するものであって、実施形態に記載されている構成部品の寸法、材質、形状、その相対的配置等は特に特定的な記載がない限り、本発明の範囲をそれのみに限定する趣旨ではなく、単なる説明例に過ぎない。なお、各図に示す部材の大きさや厚さや位置関係等は、説明を明確にするため一部誇張して記載してある。また、実施形態の説明において、配線基板１は、幅方向（短手方向）の中央部を挟んで略対称形状に各部材が形成されているので、その一方側を主に説明して、他方側の説明を適宜省略する。
【００１１】
図１に示すように、配線基板１は、例えば、絶縁性の基材２上に配線パターン３を有し、電子素子等を実装するフレキシブル回路基板であり、発光素子６を実装可能なものである。以下、発光素子６を実装した発光装置Ｓ用の配線基板１を例に挙げて本発明の一実施形態を説明する。
ここで、後記する発光素子６とは、発光ダイオードやレーザダイオードなど、発光装置Ｓの光源となり得るものであれば特に限定されない。また、発光素子６の組成や発光色、大きさや、個数などは目的に応じて適宜選択することができる。
【００１２】
≪発光装置の構成≫
図２（ａ）、（ｂ）に示すように、発光装置Ｓは、電力が供給されることによって、発光部Ｓａの発光素子６から光を発する装置である。この発光装置Ｓは、例えば、照明装置の光源として利用することができる。発光装置Ｓは、配線基板１と、この配線基板１上に載置された発光素子６と、配線基板１上に形成されるレジスト５（反射部材）を有している。この発光装置Ｓは、配線基板１を保持する筐体Ｓｃに搭載されている。（図５及び図６参照）。
【００１３】
図５に示すように、発光装置Ｓの配線基板１は、長手方向と短手方向を有する細長い矩形であり、また、図２（ａ）に示すように、発光素子６が配線基板１の長手方向に複数配置されている。従って、発光装置Ｓの発光領域である発光部Ｓａは、配線基板１の長手方向に沿った領域となる。
【００１４】
≪配線基板の構成≫
図１に示すように、配線基板１は、表面２ｃ上に複数の発光素子６等を実装して電気的に接続するための回路基板である。配線基板１は、基材２に配線パターン３が形成され、その配線パターン３の実装部３ｂが露出するようにレジスト５が設けられている。また、配線基板１は、筐体Ｓｃ（図５参照）上の所定位置に、例えば、両面テープにより接着されて搭載される。
【００１５】
≪基材の構成≫
基材２は、配線基板１の本体基材（ベースフィルム）を構成する可撓性を有する（フレキシブルな）薄板状の長尺の絶縁性部材から形成される。基材２の材料は、例えば、ポリイミドやポリエチレンテレフタレート等を用いることができる。基材２は、薄いフィルム状に形成されており、厚みは、可撓性を損なわない程度であればよく、例えば、１０μｍ〜１００μｍの物を用いることができる。また、基材２は、幅方向（短手方向）の両端部に折畳まれて基材２の中央領域よりも厚く形成された折畳部２ｄを備えている。
【００１６】
図２（ａ）、（ｂ）に示すように、折畳部２ｄは、元々平板状であった基材２の幅方向における両端部を、所定の折曲線Ｌに沿って内側に折畳むことで形成された部位である。この折畳部２ｄは、配線基板１の沿面距離Ｄを稼ぎ、駆動電力の漏れ及びノイズの侵入を低減するために形成されている。すなわち、図７（ａ）に示すように、折畳部２ｄが形成される前の配線基板１は、全体が平板状の基材２上にメッキで配線パターン３が形成されており、当該配線パターン３が基材２の幅方向の両端に露出しているため、駆動電力の漏れや、外部からノイズの侵入が発生し易くなっている。従って、図７（ｂ）に示すように、本発明では、基材２の幅方向の両端部と配線パターン３の一部を内側に折畳んで折畳部２ｄを形成することで、配線パターン３の基材２の幅方向の切断面となる露出部３ａが露出しないようにしている。
【００１７】
以下、折畳部２ｄの形成方法について簡単に説明する。
まず、基材２となるシートを用意し、表面２ｃ上にメッキで配線パターン３を形成する。続いて、プレス機、スリッター、カッター等で基材２の材料を打抜加工し、図３（ａ）に示すように、幅方向を短手方向とする矩形の形状に形成する。この打抜加工で切断された基材２の幅方向の両端の端部（エッジ部）２ａには、配線パターン３の露出部３ａが形成される。
【００１８】
次に、図３（ａ）、（ｂ）に示すように、プレス機等で配線パターン３の露出部３ａが設けられた部分において、基材２の幅方向の両端部を予め定めた折曲線Ｌに沿って折畳む折曲加工を行う。すると、図２（ａ）、（ｂ）に示すように、基材２の幅方向の両端部には、基材２及び配線パターン３が配線基板１の表面側の内側方向に折畳まれた折畳部２ｄが形成される。そして、折畳部２ｄの内面（下面）側を、接着剤４によって基材２の表面２ｃ上に接着することによって、折畳部２ｄが折畳んだ状態に維持される。このようにして設けられた折畳部２ｄは、基材２の幅方向の両端部に沿って長手方向に帯状に形成される。
【００１９】
次に、図７(ａ)、（ｂ）を参照しながら、基材２に形成された折曲部２ｂ及び折畳部２ｄについてさらに詳述する。
前記折畳部２ｄは、配線基板１の表面（例えば、基材２の表面２ｃ等）上に重ねるように折畳まれることにより、露出部３ａの位置を、基材２の幅方向の両端から基材２の中央部側寄りの位置に移動させることができるため、沿面距離Ｄを確保することができる。
【００２０】
なお、沿面距離Ｄの長さは、日本工業規格の「ＪＩＳ  Ｃ  ６９５０」で規定されている。沿面距離Ｄの長さは、電圧及び材料により異なるが、１〜２ｍｍ程度あればよい。
【００２１】
また、配線基板１は、このような折畳部２ｄを備えることで、図２（ｂ）に示すように、当該配線基板１の幅方向における両縁部が複数層の厚みを持った構造となるため、当該両縁部における強度及び曲げ剛性が向上する。
なお、図２（ｂ）に示す例では、配線基板１の幅方向における両縁部は、上から折畳部２ｄからなる層、折畳まれた配線パターン３の延伸部３ｃからなる層、接着剤４からなる層、折畳まれていない配線パターン３の延伸部３ｃからなる層、折畳まれている基材２からなる層、の全５層で構成されている。
【００２２】
また、接着剤４は、折畳んだ折畳部２ｄを配線基板１の表面２ｃ上に接着することができるものであればよく、特に、その材料には限定されない。なお、接着剤４は、絶縁材料が好ましく、さらに、電気的な問題が生じ難い樹脂がより好ましい。また、この接着剤４は、反射率の高い白色の材料であることが好ましい。また、この場合、折畳部２ｄの上面にも塗布されることが好ましい。これにより、発光装置Ｓの発光面側に現れる折畳部２ｄの反射率を高めることができ、発光装置Ｓの光取出しを高めることができる。
【００２３】
≪配線パターンの構成≫
図２（ａ）、（ｂ）に示すように、配線パターン３は、基材２上に設けられた導電箔（導体パターン）であり、それぞれ多数の発光素子６が実装ないし電気的に接続される。配線パターン３は、後記する実装部３ｂが、例えば、表面２ｃ上の長手方向に適宜な間隔で一列に複数組配置されてなる。
配線パターン３は、基材２の中央に配置される複数の実装部３ｂと、各実装部３ｂから露出部３ａに亘って配置された延伸部３ｃと、から形成されている。
【００２４】
なお、発光装置Ｓにおいて、配線パターン３の形状及び厚みは、発光素子６の個数、種類、大きさなどにより、適宜変更することができる。配線パターン３の材料は、導電性を有していれば特に限定されず、高い熱伝導性を有していることが好ましい。このような材料として、金、銀、銅、アルミ二ウムやこれらの合金などの導電材料が挙げられる。また、配線パターン３の形成方法は張り合わせ後のエッチング方法に限られず、メッキや導電性ペーストの塗布、印刷などでもよい。
【００２５】
配線パターン３は、折り曲げ時に容易に破断しないように設けられることが好ましい。例えば、Ａｕなどの金属の薄膜が好適に用いられる。折り曲げ時に配線が破断すると同時にフレキシブル基板そのものが破断し、配線パターン３が剥き出しとなって、沿面距離Ｄの確保ができなくなるおそれがあるためである。
配線パターン３の厚みは、配線基板１の可撓性を損なわず、また、折畳部２ｄを形成するために折曲げられる程度であればよく、例えば、１０〜２００μｍ程度であればよい。
配線パターン３は、基材２の略全面を被覆するように形成されることが好ましい。これにより、発光装置Ｓの放熱性を高めることができる。
【００２６】
図３（ａ）、（ｂ）に示すように、配線パターン３の露出部３ａは、配線パターン３を電解メッキする際に電気メッキ用電極として使用され、その後切断された配線パターン３の切断面である。
【００２７】
図２（ａ）、（ｂ）に示すように、配線パターン３の実装部３ｂは、各発光素子６が実装される素子載設面であり、延伸部３ｃと連続して形成され、レジスト５から露出して配置された配線パターン３の露出部分である。実装部３ｂは、基材２の表面２ｃ上において、幅方向の両縁部の延伸部３ｃ，３ｃ間に、溝を挟んで対向配置された略Ｌ字形状の一対一組の複数組の導電部である。発光素子６は、実装部３ｂ，３ｂ間に形成された溝を跨ぐようにして一対の実装部３ｂ上にフリップチップ実装される。各組の実装部３ｂは、例えば、対称形状、同一面積で形成された導電箔が対称に配置されている。各実装部３ｂは、基材２の長手方向に向けて一列に多数（例えば、８組）配置されている。
なお、各配線パターン３の実装部３ｂは、筐体Ｓｃ（図６参照）の長手方向の両端部に形成されたコネクタ部Ｓｄに内設された端子等に接続されるリードＳｅが設けられる。このように、実装部３ｂは、リードＳｅが設置されるリード接続部としての機能も果たす。
【００２８】
延伸部３ｃは、各実装部３ｂから基材２の幅方向の両端部の露出部３ａに亘って帯状に延設された配線部位である。延伸部３ｃは、基材２の端部２ａと同一平面上に配置された露出部３ａと、折畳まれる折曲線Ｌ上に形成された幅狭部３ｄと、を有している。
幅狭部３ｄは、延伸部３ｃの幅方向の両縁部にＶ字状に形成した部位である。この幅狭部３ｄを形成する目的は、延伸部３ｃの幅を狭く形成することにより、折曲線Ｌを折曲した際に、延伸部３ｃが折曲線Ｌに沿って折れ曲がり易くするためである。この幅狭部３ｄは、メッキ等で配線パターン３を形成する際に、延伸部３ｃと一緒に形成される。なお、延伸部３ｃの一部に厚みが他より薄い領域を設けてもよい。これにより、延伸部３ｃが折曲線Ｌに沿って折れ曲がり易くすることができる。
【００２９】
≪レジストの構成≫
図６に示すように、レジスト５は、配線パターン３上に設けられ、電気的絶縁を確保する部材である。また、配線パターン３及び基材２を外力や水分などから保護する。レジスト５には、実装部３ｂに対応して開口部５ａが形成されており、この開口部５ａ内に実装部３ｂがある。図２（ａ）、（ｂ）に示すように、レジスト５は、折畳部２ｄを折畳んだ状態の配線基板１において、実装部３ｂを除いた配線基板１の表面全体に塗布されている。なお、レジスト５は、接着剤４と同じ部材であってもよい。また、レジスト５は、配線パターン３上に形成されたレジストと同じ材質でもよいし、相違する材質のものでもよい。
【００３０】
レジスト５は、反射部材としても用いられる。例えば、発光素子６から発せられる光の色と同色の部材（例えば、青色に光る発光素子６の場合は、青色のレジスト５）、発光素子６や波長変換部材の発光波長に応じた反射領域を持つ材料、あるいは白色の材料等を用いることができる。これにより、発光装置Ｓの光出力を高めることができる。このような材料として、例えば、エポキシ樹脂、ユリア樹脂、シリコーン樹脂、変性エポキシ樹脂、変性シリコーン樹脂、ポリアミド等に酸化チタンあるいは酸化ケイ素を混合した材料などが挙げられる。特に、シリコーン樹脂のような耐光性の高い樹脂に光を反射する材料である酸化チタンあるいは酸化ケイ素などが混ぜたものが好適である。
【００３１】
図６に示すレジスト５は、折畳部２ｄの表面２ｃ上と、配線パターン３の露出部３ａと、を被覆するように塗布されているが、これに限られず、折畳部２ｄの形成前に設けられていてもよい。これにより、反射部材を印刷等で容易に形成することができる。その場合、露出部３ａは異なる反射部材やレジストで被覆されることが好ましい。折畳部２ｄを形成する前に反射部材を設ける場合には、反射部材は、絶縁性であり、延伸部３ｃを被覆していることが好ましい。これにより、折り曲げる際に、延伸部３ｃの損傷を防止することでき、電気的な不良を防止することができる。
【００３２】
≪発光素子の構成≫
発光素子６は、発光装置Ｓに載置され、基材２の表面２ｃに長手方向に一列に配置された各組の実装部３ｂ上にそれぞれダイボンド部材等によって固定されている。
発光素子６は、発光半導体素子であり、例えば、窒化ガリウム系化合物半導体から成るＬＥＤチップ等を用いることができる。発光素子６は、例えば、適宜な間隔で一列に多数並設されて広範囲に亘って照明できるように配置されている。なお、発光素子６は、光を発する素子であればよく、輝度や発光色や材料や形状や個数やその種類等は特に限定されず、使用する用途等によって適宜に選定して使用すればよい。
【００３３】
発光素子６と基材２上に形成された正負の電極との電気的接続は、発光素子６のｐ側の電極とｎ側の電極とが対面するようにフリップチップ実装の方法で行われてもよく、また、ワイヤボンディングを用いて行われてもよい。
なお、発光素子６とほぼ同等のサイズを有するパッケージ、いわゆるＣＳＰ（Chip Scale Package）の場合は、フリップチップ接続方式（フェースダウンボンディング法）を用いた高密度実装が可能である。
【００３４】
封止部材（図示省略）は、少なくとも発光素子６と配線パターン３が露出しないよう（例えば、反射部材の上に端部がかかるように）形成され、その形状として、例えば、縦断面視して半球状に形成されている。また、封止部材は、波長変換部材（蛍光体）や光散乱材を含有していてもよい。波長変換部材及び光散乱材は、封止部材等の中に設けてもよく、また、後述のカバー部材Ｓｂ等に設けてもよい。
【００３５】
≪筐体の構成≫
図５に示すように、筐体Ｓｃは、配線基板１の裏面２ｅ側に貼り付け等によって配置され、配線基板１の裏面２ｅ側や側部側を保持する部材である。例えば、放熱性の良好な金属部材によって形成されていれば、ヒートシンクの機能も果たすことができる。筐体Ｓｃは、例えば、長手方向の両端部に、外部電源と各配線パターン３とを接続するための装置側のコネクタ部Ｓｄが設けられ、上部に、カバー部材Ｓｂが配置されている。
図２（ａ）に示すように、カバー部材Ｓｂは、発光部Ｓａを覆う平面視において矩形の透明あるいは半透明の樹脂部材またはガラス部材等である。
なお、この発光装置Ｓのカバー部材Ｓｂ内には、発光素子６の上部に蛍光体層(図示省略)や、光を散乱反射させる散乱板等が設置されていてもよい。筐体Ｓｃ及びカバー部材Ｓｂは、一体形成したものであってもよく、また、発光装置Ｓや配線基板１等の形状に合わせて適宜変更しても構わない。
【００３６】
≪配線基板及びこれを用いた発光装置の製造方法≫
次に、図１〜図７を参照しながら本発明の実施形態に係る配線基板１及びこれを用いた発光装置Ｓの製造方法を説明する。
図３（ａ）に示すように、配線基板１を形成する場合は、まず、接着部材により配線材料を基材２上の一面に貼り合わせた後、エッチング等で配線パターン３の形状に形成する。この場合、基材２の片方の表面２ｃにそれぞれ一対を１組とするＣｕの配線パターン３を、例えば、基材２の長手方向に一列に８組形成する。その後、配線パターン３にＡｕを電解メッキする。基材２の周辺部位をプレス機で切断して図３（ａ）に示すような矩形の基材２を形成する。
【００３７】
なお、配線材料は、導電性を有していればよく、金属が好ましい。特に、銅、アルミなどは展性が高く薄くすることができるため、可撓性を有するのでより好ましい。さらには、アルミは光反射率が高いためより好ましい。また、メッキ材料としては、Ｎｉ，Ａｕ，Ｓｎ，Ｃｕが好ましく、その中で、Ａｕ，Ｓｎは半田との相性がよいため、より好ましい。
配線基板１の切断は、発光素子６の載置後や封止樹脂の形成後でも構わない。特に、配線基板１をロール・ツー・ロール方式で製造する場合などにおいては、配線基板１上に設けられる部材がすべて形成・載置された後に切断する方が作業性が良好となるため好ましい。
【００３８】
基材２の表面２ｃ上に露出して形成された配線パターン３は、電解メッキして被覆することにより、金属膜の層(図示省略)によって覆われるため、配線パターン３を補強し、発光装置Ｓの劣化を抑制することができる。
【００３９】
次に、図３（ａ）に示す状態の基材２の折曲線Ｌ及び配線パターン３の幅狭部３ｄを、図２（ａ）に示すように折曲げ機によって折曲加工して表面２ｃ上に重ねるように折畳んで、折畳部２ｄを形成する。また、その際に折畳部２ｄと表面２ｃと内面に接着剤４を注入して、折畳部２ｄを折畳んだ状態に固定する。
【００４０】
図７（ａ）、（ｂ）に示すように、基材２に折畳部２ｄを形成する場合、仮想の折曲線Ｌ上に、配線パターン３の延伸部３ｃの幅を狭くしたＶ字状の各幅狭部３ｄが形成されている。そのため、基材２において、折曲線Ｌは、各幅狭部３ｄが各延伸部３ｃの幅を狭くした分だけ、強度が局部的に弱くなっているので、基材２が幅狭部３ｄにガイドされながら折曲されて折畳まれる。
幅狭部３ｄの幅は、特に限定されず、例えば、延伸部３ｃの幅の１／３〜４／５程度とすることができる。
【００４１】
このため、基材２と配線パターン３を折畳んで折畳部２ｄを形成するときは、それぞれの幅狭部３ｄが折畳むときの目印となると共に、各幅狭部３ｄ付近を折曲げれば、自動的に折曲部２ｂが折曲線Ｌを稜線として折曲形成される。その結果、折曲線Ｌを折曲げる折曲作業が簡素化されて、容易にかつ正確に折畳部２ｄを形成することができる。
【００４２】
また、折畳部２ｄを形成したことにより、端部２ａ、露出部３ａの位置を、基材２の幅方向の両端部から中央部側に沿面距離Ｄだけ寄った位置にすることができる。配線基板１は、このようにして図１に示す状態に形成されて完成される。
このように形成された配線基板１は、沿面距離Ｄが確保されているので、配線パターン３に印加した駆動電力が配線パターン３の露出部３ａを通って金属筐体へと流れ、使用者が感電するおそれがあるなどの問題や、露出部３ａから配線パターン３内に静電気等のノイズが入り込むのを阻止することができる。
【００４３】
次に、その配線基板１を備えた発光装置Ｓの組み付け方法を説明する。
まず、初めに、図２（ａ）に示すように、配線基板１の両側の折畳部２ｄから実装部３ｂの周辺位置に亘って基材２及び配線パターン３上にレジスト５を塗布して覆う。すると、配線基板１は、実装部３ｂ及びその周辺のみがレジスト５から露出し、それ以外がレジスト５で被覆された状態になる。次に、各実装部３ｂに発光素子６を実装する。
【００４４】
続いて、図６に示すように、配線基板１を両面テープ（図示省略）等の固定部材にて筐体Ｓｃに固定し、カバー部材Ｓｂで覆って収納させることにより、発光装置Ｓの組み付けが完了する。
そして、筐体Ｓｃの長手方向の一端部のコネクタ部Ｓｄを照明装置本体に取り付けて、リードＳｅを電源に接続して電流を流すと、各発光素子６が発光する。発光素子６から発せられた光は、基材２の表面２ｃ上の配線パターン３やレジスト５（反射部材）によって反射されるので、明るく広範囲に照明することができる。発光装置Ｓは、その発光素子６が、一列に多数位置されていることにより、直管型蛍光灯に対応した形状のＬＥＤ照明装置として利用することが可能である。
【００４５】
このように組み付けられた配線基板１の露出部３ａは、発光装置Ｓにおいて、配線基板１の幅方向の両縁部から中央部側に寄った位置に配置されると共に、レジスト５によって覆われているため、露出部３ａから配線パターン３内に静電気等のノイズが入り込んで発光素子６の発光にムラ等の障害がでるのを防止することができる。また、配線基板１は、発光装置Ｓに使用した際に発生するマイグレーション等のおそれも低減することができる。
【００４６】
また、レジスト５は、発光素子６から発せられた光を反射する材料で形成されると共に、各発光素子６の周辺を覆うように配置されている。このため、光取り出し効率の高い発光装置Ｓとすることができる。
【００４７】
≪第１変形例≫
なお、本発明は、前記実施形態に限定されるものではなく、その技術的思想の範囲内で種々の改造及び変更が可能であり、本発明はこれら改造及び変更された発明にも及ぶことは勿論であり、図８〜図１０を主に参照して説明する。なお、すでに説明した構成は同じ符号を付してその説明を省略する。
図８は、本発明の実施形態に係る配線基板の変形例を示す図であり、折畳部が形成される前の状態を示す拡大断面図である。図９は、本発明の実施形態に係る配線基板及びこれを用いた発光装置の変形例を示す概略平面図である。図１０は、本発明の実施形態に係る配線基板及びこれを用いた発光装置の変形例を示す図であり、配線基板の取り付け状態を示す拡大断面図である。
【００４８】
図６に示すように、前記実施形態では、レジスト５の一例として、折畳んで形成された折畳部２ｄの表面上にレジスト５を塗布した場合を説明したが、これに限定されるものではない。
図８〜図１０に示すように、レジスト５０（反射部材）は、基材２の裏面２ｅ全体に設けて、折畳部２ｄが形成される前に基材２の裏面２ｅ側にあったレジスト５０を、折曲線Ｌを折曲して折畳部２ｄが基材２の表面２ｃに折畳んだ状態に形成されたときに、基材２の表面２ｃ側に配置されるようにしてもよい。このようにすれば、折畳部２ｄ上にレジスト５０を容易に設けることができる。
【００４９】
また、前記実施形態は、図６に示すように、折畳部２ｄを基材２の表面２ｃ上の接着剤４によって接着し、発光装置Ｓを両面テープ等で筐体Ｓｃ上に固定する場合を例に挙げて説明したが、これに限定されるものではない。
図９及び図１０に示すように、基材２の折畳部２ｄは、単に折畳んで曲げただけのものでもよく、接着剤４（図７（ｂ）参照）で折畳部２ｄを表面２ｃ側に接着しなくてもよい。
【００５０】
この場合、基材２は、基材２の幅方向の両縁部を表面２ｃ側に折畳んで折畳部２ｄを形成して、折曲部２ｂを筐体Ｓｃの基板保持部（図示省略）に係合させて折畳部２ｄの形状を保持させると共に、発光装置Ｓを筐体Ｓｃに固定することができる。基板保持部は、上記のような構成を実現できるよう筐体Ｓｃに設けられた構造であればよく、例えば、溝や突起やレールなどが挙げられる。基材２は、基材２の両縁部を折畳んで折畳部２ｄを形成したことにより、基材２の両縁部の強度が向上されると共に、折畳部２ｄ及び基材２自体に弾性があるため、折畳部２ｄを基板保持部（図示省略）にしっかりと弾性保持させることができる。その結果、接着剤４や両面テープ等の固定部材がない分だけ、組立作業の作業工数及び接着剤４の乾燥時間を削減することができるため、作業効率及び量産性を向上させることができる。
【００５１】
≪その他の変形例≫
例えば、前記実施形態では、配線基板１を平面的に配置した状態で筐体Ｓｃに接着する液晶バックライト用の発光装置Ｓを説明したが、発光装置Ｓはこれに限定されるものではない。
発光装置Ｓは、例えば、細長い矩形の配線基板１を透光性のケースやカバーに収容することによって直管型蛍光灯に対応した形状とすることができる。また、フレキシブルな配線基板１を、表面２ｃを外周側にして側面視して円形に曲げ、円環状（ドーナツ形状）に形成されたカバー部材Ｓｂ及び筐体Ｓｃに収納すれば、丸型蛍光灯に対応した形状の照明装置にすることが可能である。
また、発光装置Ｓは、配線基板１を曲げることができるので、円弧状に曲げたり、Ｖ字状、Ｕ字状、半円状などに曲げたりして、その形状に適合した形のカバー部材Ｓｂ及び筐体Ｓｃに収納すれば、種々の形状の装置に適宜変更することが可能である。
【００５２】
前記実施形態では、矩形の配線基板１の長手方向に一列に発光素子６を配置した場合を例に挙げて発光装置Ｓを説明したが、発光装置Ｓはこれに限定されるものではない。発光装置Ｓは、例えば、矩形の配線基板１の長手方向に一列に配置した複数の発光素子６を１組として、複数組の発光素子６を長手方向に複数列に配置しても構わない。
【００５３】
また、発光装置Ｓに発光部Ｓａには、発光素子６以外の電子素子を設けてもよい。発光素子６以外の電子素子としては、例えば、発光装置Ｓのサージ等を吸収して電気回路を保護するツェナーダイオードや、トランジスタ、ＩＣ等の半導体が挙げられる、これらは配線パターン３を介して発光素子６と接続されていてもよい。なお、発光素子６以外の電子素子は、必要に応じて適宜に設置すればよい。また、発光素子６の代わりにＬＤチップを設けてもよい。
【００５４】
また、基材２の裏面２ｅ側に配置される筐体Ｓｃは、発光素子６から発せられた熱を放熱するための熱伝導性に優れた材料から形成することで、ヒートシンクの機能を果たすようにすることができる。この場合、ヒートシンクの材料としては、熱伝導性が良好な材料であれば特に限定されず、セラミックなどの絶縁材料、あるいは、銅、亜鉛鋼板、アルミニウム、マグネシウム等の金属でもよい。
【００５５】
また、幅狭部３ｄは、基材２の幅方向の両端の端部２ａから所定距離だけ離間された位置にある折曲部２ｂを、折曲線Ｌに沿って正確に容易に折曲形成することができるものであれば、Ｖ字形状の切欠部に限定されるものではなく、適宜変更しても構わない。例えば、幅狭部３ｄは、延伸部３ｃの両縁を凹部形状に形成したり、段差状にしたり、延伸部３ｃ及び基材２に点線のように孔を連続形成したり、さらに、スリット孔を形成したものであっても構わない。
【００５６】
また、基材２には、表面側だけ配線パターン３を設けた場合を説明したが、これに限定されるものではない。例えば、基材２の裏面２ｅにも、配線パターン３を設けると共に、表面側と裏面２ｅ側とに連通するビアホールを形成し、そのビアホール内に導電部材を内設して表裏を繋いでもよい。
このようにすれば、発光素子６を多数設けても容易に接続配線して電気的に接続することができる。
【００５７】
また、前記実施形態では、レジスト５の一例として、基材２上に段差状に配置した折畳部２ｄを段差状に覆うように配置したレジスト５を説明したがこれに限定されるものではない。レジスト５（反射部材）は、基材２の中央部に配置された発光素子６から発せられた光を基材２の表面２ｃ側の前方方向へ反射するように、発光素子６に対して傾斜した状態の反射面を構成するように形成してもよい。
レジスト５をこのように形成すれば、さらに高効率の発光装置Ｓとすることができる。
【００５８】
折畳部２ｄは一度の折曲だけでなく、二度以上折り曲げて形成してもよい。また、露出部３ａを基材２でくるむように折り曲げてもよい。これにより、露出部３ａから静電気等のノイズが侵入するのを防止することができる。
折畳部２ｄは、長手方向の全体に設けられる必要はなく、例えば、露出部３ａがある部分のみに設けることができる。また、折畳部２ｄは、一様の幅である必要は無く、例えば、露出部３ａがある部分のみをない部分より幅広にすることができる。
また、前記実施形態では、複数の発光素子６が直列接続されている場合を示したが、これに限定されるものではない。例えば、並列、直並列、並直列接続されていてもよい。
【符号の説明】
【００５９】
１      配線基板
２      基材
２ａ    端部
２ｃ    表面
２ｄ    折畳部
３      配線パターン
３ａ    露出部
３ｂ    実装部
３ｃ    延伸部
３ｄ    幅狭部
４      接着剤
５，５０  レジスト（反射部材）
６      発光素子
Ｄ      沿面距離
Ｌ      折曲線
Ｓ      発光装置
【図１】
2014220472.tif 000003
【図２】
2014220472.tif 000004
【図３】
2014220472.tif 000005
【図４】
2014220472.tif 000006
【図５】
2014220472.tif 000007
【図６】
2014220472.tif 000008
【図７】
2014220472.tif 000009
【図８】
2014220472.tif 000010
【図９】
2014220472.tif 000011
【図１０】
2014220472.tif 000012